(57)【要約】      （修正有）【課題】木質の暖かさを有し、かつ、見栄えが良好であり、表面の目割れや反り返りを防止でき、しかも、表面硬度が高く、耐汚染性、耐磨耗性、耐熱性、耐水性に優れて、耐久性に富む化粧天板を提供する。【解決手段】化粧天板は、天然木素材を積層した積層材からなり、表面端辺部から裏面端辺部にわたる化粧木口面部２ａを有する平板状の芯材２と、この芯材２の表面の平坦部に貼着した高圧メラミン化粧板３とで構成する。【選択図】図４
0003155866.tif 000002
【実用新案登録請求の範囲】
【請求項１】
積層材からなる平板状の芯材と、この芯材上に貼着した高圧メラミン化粧板とからなることを特徴とする化粧天板。
【請求項２】
天然木素材を積層した積層材からなり、表面端辺部から裏面端辺部にわたる化粧木口面部を有する平板状の芯材と、この芯材の表面の平坦部に貼着した高圧メラミン化粧板とからなることを特徴とする化粧天板。
【請求項３】
天然木素材を積層した積層材からなり、表面端辺部から裏面端辺部にわたる化粧木口面部を有する平板状の芯材と、この芯材の表面の平坦部及び裏面の平坦部に各々貼着した高圧メラミン化粧板とからなることを特徴とする化粧天板。
【請求項４】
天然木素材を積層した積層材からなり略Ｌ形平板状の芯材と、この芯材の表面に貼着した高圧メラミン化粧板とからなることを特徴とする化粧天板。
【請求項５】
天然木素材を積層した積層材からなり略Ｌ形平板状の芯材と、この芯材の表面及び裏面に各々貼着した高圧メラミン化粧板とからなることを特徴とする化粧天板。
【請求項６】
天然木素材を積層した積層材からなり略Ｌ形平板状で、角部に円弧状部を有し、表面端辺部から裏面端辺部にわたる化粧木口面部を有する芯材と、この芯材の表面の平坦部に貼着した高圧メラミン化粧板とからなることを特徴とする化粧天板。
【請求項７】
天然木素材を積層した積層材からなり略Ｌ形平板状で、角部に円弧状部を有し、表面端辺部から裏面端辺部にわたる化粧木口面部を有する芯材と、この芯材の表面の平坦部及び裏面の平坦部に各々貼着した高圧メラミン化粧板とからなることを特徴とする化粧天板。
【考案の詳細な説明】
【技術分野】
【０００１】
本考案は、化粧天板に関するものであり、詳しくは、曲面加工を有するダイニングキッチンのカウンター、ニッチ棚、テーブルトップ、更には業務用カウンター等々の天板として好適な化粧天板に関するものである。
【背景技術】
【０００２】
この種の化粧天板として、従来、天然木材を素材とし平板状に加工してその表面を磨いたり、表面に塗装を施したりして、見栄えの良好な外観形態を呈するようにしたものが知られている。
【０００３】
しかし、天然木材を素材とする化粧天板の場合には、木質の暖かさを有し見栄えは良好であるももの表面硬度が不足し傷付き易く、また、目割れしたり湿気のため反り返る等耐久性の点で問題があった。
【０００４】
特許文献１には、合板を使用した水平芯材の短辺に幕板芯材を組みつけて全体を略Ｌ形状とし、水平芯材、幕板芯材の外面に略Ｌ形状のメラミン樹脂化粧板を取り付けた幕板付き天板が提案されている。
【０００５】
この特許文献１の場合、合板を使用した水平芯材の表面が露出する構造であり、やはり表面硬度が不足し傷付き易いという問題を包含している。
【先行技術文献】
【特許文献】
【０００６】
【特許文献１】特開２００３−１０２５７８号公報
【考案の概要】
【考案が解決しようとする課題】
【０００７】
本考案が解決しようとする問題点は、曲面加工が容易で木質の暖かさを有し、かつ、見栄えが良好で、表面の目割れや反り返りを防止でき、しかも、表面硬度が非常に高く、耐汚染性、耐磨耗性、耐熱性、耐水性に優れ、耐久性に富むような化粧天板が存在しない点である。
【課題を解決するための手段】
【０００８】
本考案に係る化粧天板は、積層材からなる平板状の芯材と、この芯材上に貼着した高圧メラミン化粧板とからなることを最も主要な特徴とする。
【考案の効果】
【０００９】
請求項１記載の考案によれば、曲面加工が容易で耐久性に富み、外観上も木質の暖かさ、柔らかさを有し、更に高級感をも有し、見栄えが良好な化粧天板を実現し提供することができる。
【００１０】
請求項２記載の考案によれば、耐久性に富み、外観上において化粧木口（こぐち）面部による木質の暖かさ、柔らかさを有し、更に高級感をも有し、見栄えが良好な化粧天板を実現し提供することができる。
【００１１】
請求項３記載の考案によれば、請求項２記載の考案の効果に加え、天板裏面側の耐久性をも向上できる化粧天板を実現し提供することができる。
【００１２】
請求項４記載の考案によれば、耐久性に富み、外観上も木質の暖かさ、柔らかさを有し、更に高級感をも有し、見栄えが良好な略Ｌ形平板状の化粧天板を実現し提供することができる。
【００１３】
請求項５記載の考案によれば、請求項４記載の考案の効果に加え、天板裏面側の耐久性をも向上できる略Ｌ形平板状の化粧天板を実現し提供することができる。
【００１４】
請求項６記載の考案によれば、耐久性に富み、外観上において化粧木口面部による木質の暖かさ、柔らかさを有し、更に高級感をも有し、見栄えが良好で角部に円弧状部を有する化粧天板を実現し提供することができる。
【００１５】
請求項７記載の考案によれば、請求項６記載の考案の効果に加え、天板裏面側の耐久性をも向上でき角部に円弧状部を有する略Ｌ形平板状の化粧天板を実現し提供することができる。
【図面の簡単な説明】
【００１６】
【図１】図１は本考案の実施例１に係る化粧天板の表面図である。
【図２】図２は本実施例１に係る化粧天板の正面図である。
【図３】図３は本実施例１に係る化粧天板の断面図である。
【図４】図４は本実施例１に係る化粧天板を用いたカウンターの斜視図である。
【図５】図５は本実施例１に係る化粧天板の変形例を示す断面図である。
【図６】図６は本考案の実施例２に係る化粧天板の表面図である。
【図７】図７は本実施例２に係る化粧天板の裏面図である。
【図８】図８は本実施例２に係る化粧天板の断面図である。
【図９】図９は本実施例２に係る化粧天板を用いたカウンターの斜視図である。
【図１０】図１０は本実施例２に係る化粧天板の変形例の断面図である。
【図１１】図１１は本実施例２に係る化粧天板の変形例の裏面図である。
【考案を実施するための形態】
【００１７】
本考案は、木質の暖かさを有し、かつ、見栄えが良好であり、目割れや反り返りがなく、しかも、表面硬度が非常に高く、耐汚染性、耐磨耗性、耐熱性、耐水性に優れ、耐久性に富む化粧天板を実現し提供するという目的を、天然木素材を積層した積層材からなり、表面端辺部から裏面端辺部にわたる化粧木口面部を有する平板状の芯材と、この芯材の表面の平坦部に貼着した高圧メラミン化粧板とからなる構成により実現した。
【実施例１】
【００１８】
以下、本考案の実施例１に係る化粧天板について図１乃至図４を参照して説明する。
【００１９】
本実施例１に係る化粧天板１は、図１乃至図３に示すように、天然木素材を積層した積層材からなる平板状で、全体として平面長方形状に形成した芯材２と、この芯材２における表面の平坦部の略全域に公知の接着剤４を用いて貼着した平面長方形状の高圧メラミン化粧板３とから構成している。
【００２０】
前記芯材２の端辺部、例えば一方の長辺には、図３に示すように、全長にわたって表面から裏面に至る化粧木口面部２ａを形成している。なお、上記芯材２における化粧木口面部２ａの形状は、直線形状、湾曲形状等の各種形状のものがあるが、本考案においては当該部分を限定するものではない。
【００２１】
また、前記芯材２の端辺部は、全体として塗装仕上げを施し、高級感を醸し出すようにしている。
【００２２】
前記芯材２は、天然木素材を積層した積層材からなるため、曲面加工が容易であり、また、多様な面加工も可能であるという加工性の良さを有している。
【００２３】
前記高圧メラミン化粧板３は、化粧紙（チタン紙）にメラミン樹脂を含浸させた化粧層と、クラフト紙にフェノール樹脂を含浸させたコアー層を積層しできたフェノールバッカーとを、高圧でプレス成型した化粧板であり、その表面硬度が例えば鉛筆硬度８Ｈと非常に高く、しかも、耐汚染性、耐磨耗性、耐熱性、耐水性に優れ、耐久性の点で極めて優秀な特性を有するものである。
【００２４】
また、前記高圧メラミン化粧板３の表面の柄形態としては、木目柄、抽象柄や石目柄等から選定でき、色彩的にも茶色系、白色系等種々の色彩の中から選定可能である。
【００２５】
更に、表面仕上げタイプもフラットタイプ、エンボスタイプの中から選定できる。
【００２６】
本実施例１に係る化粧天板１によれば、天然木素材を用いた平面長方形状に形成した芯材２の表面略全域に前記高圧メラミン化粧板３を貼着して重合することにより構成したものである。
【００２７】
従って、この化粧天板１を例えば図４に示すようにカウンター基台６の上端に水平に取り付け、ダイニングキッチン用のカウンター５の天板として組み込んだ場合、従来例のように天然木材のみで構成した場合に比べ、目割れや反り返りがなくなり、しかも、高圧メラミン化粧板３の表面硬度が非常に高くて傷付き難く、また、耐汚染性、耐磨耗性、耐熱性、耐水性にも優れ、極めて耐久性に富む化粧天板１として活用することができる。
【００２８】
また、前記化粧天板１の端辺部には前記高圧メラミン化粧板３を貼着せず、芯材２自体の塗装仕上げをした化粧木口面部２ａを外部に表出させているので、外観上木質の暖かさ、柔らかさを有し、かつ、高級感を醸し出させることができる。
【００２９】
このように、本実施例１によれば、全体として耐久性に富み、外観上木質の暖かさ、柔らかさを有し、しかも高級感をも有し、見栄えが良好な化粧天板１を実現し提供することができる。
【００３０】
図５は、本実施例１に係る化粧天板１の変形例である化粧天板１Ａを示すもので、この化粧天板１Ａは、実施例１に係る化粧天板１の構成に加えて、芯材２の裏面にも上述した場合と同様な高圧メラミン化粧板３を接着剤４を用いて貼着したものである。
【００３１】
この変形例の化粧天板１Ａによれば、前記化粧天板１の作用、効果を発揮することに加えて、芯材２の裏面にも高圧メラミン化粧板３を貼着しているので、通常では外観視されない裏面側においても優れた耐久性を発揮させることができる。
【実施例２】
【００３２】
次に、図６乃至図９を参照して、本考案の実施例２に係る化粧天板１１について説明する。
本実施例２に係る化粧天板１１は、実施例１の場合と同様、天然木素材を積層した積層材からなり、全体として例えば略Ｌ形平板状に形成した芯材１２と、この芯材１２における表面の略全域に公知の接着剤４を用いて貼着した全体として例えば略Ｌ形状を呈する実施例１の場合と同様な高圧メラミン化粧板２１とから構成している。
【００３３】
すなわち、本実施例２に係る化粧天板１１は、前記芯材１２を図６、図７に示すように、例えば、略長方形状で、一方の長辺における一方の角部を円弧部１３ｄとして形成した第１芯材１３と、この第１芯材１３より小寸法で正方形状又は長方形状の第２芯材１４との連結構造としている。
【００３４】
すなわち、前記第２芯材１４の一辺を、前記第１芯材１３の真っすぐな他方の長辺の隅部領域に両者の外側の端辺が真っすぐに連なるように接合固着し、全体として例えば平面視略Ｌ形状を呈する形状に構成している。
【００３５】
前記第１芯材１３と第２芯材１４との連結構造を更に具体的に説明すると、図７に示すように、前記第２芯材１４の一辺と、前記第１芯材１３の真っすぐな他方の長辺の隅部領域とを、両者の外側の端辺が真っすぐに連なるように、かつ、両者が平坦に連なるように接着剤を用いて接着している。
【００３６】
更に、前記第１芯材１３の裏面、前記第２芯材１４の裏面には、接着ラインを挟んで真っすぐに対向する配置で各々円形の凹陥部１３ａ、１４ａを穿設するとともに、前記第１芯材１３、前記第２芯材１４の各肉厚部には、前記凹陥部１３ａ、１４ａに対し真っすぐに貫通する配置で横穴１３ｂ、１４ｂを穿設している。
【００３７】
そして、両横穴１３ｂ、１４ｂを貫通するようにネジ棒１５を挿通して、ネジ棒１５の両端を前記凹陥部１３ａ、１４ａ内に露出させ、ネジ棒１５の両端に各々ワッシャー１６を介在させつつ各々ナット１７を螺合し、ねじ込むことで、前記第１芯材１３と、前記第２芯材１４とを一体的に連結するように構成している。
【００３８】
これにより、前記第１芯材１３と、前記第２芯材１４とは、接着剤による接着と、ネジ棒１５、ナット１７による連結とにより、極めて強固に連結固定されるようになっている。
【００３９】
第１芯材１３における一方の長辺から角部を経て第２芯材１４側に至る短辺には、前記実施例１の場合と同様、図８に示すように、表面から裏面に至る化粧木口面部１３ｃを形成している。なお、上記芯材１３における化粧木口面部１３ｃの形状は、直線形状、湾曲形状等の各種形状のものがあるが、本考案においては当該部分を限定するものではない。
【００４０】
同様に、前記第２芯材１４の第１芯材１３に連なる端辺及びこの端辺に連なる図６において上側の端辺にも、実施例１の場合と同様、図８に示すように、表面から裏面に至る化粧木口面部１４ｃを形成している。なお、上記芯材１４における化粧木口面部１４ｃの形状は、直線形状、湾曲形状等の各種形状のものがあるが、本考案においては当該部分を限定するものではない。
【００４１】
前記高圧メラミン化粧板２１は、前記第１芯材１３の表面の平坦部略全域に接着剤を用いて貼着した略長方形状で、角部に前記円弧部１３ｄよりも小径の円弧部２２ｂを形成した第１高圧メラミン化粧板２２と、前記第２芯材１４の表面の平坦部略全域に接着剤を用いて貼着した正方形状或いは長方形状の第２高圧メラミン化粧板２３とにより構成している。
【００４２】
本実施例２に係る化粧天板１１によれば、天然木素材を用いた平面略Ｌ形形状を呈する第１芯材１３、第２芯材１４からなる芯材１２の表面略全域に、平面略Ｌ形形状の第１高圧メラミン化粧板２２、第２高圧メラミン化粧板２３からなる高圧メラミン化粧板２１を貼着して重合することにより構成したものである。
【００４３】
従って、この化粧天板１１を例えば図９に示すようにカウンター基台２５の上端に水平に取り付け、ダイニングキッチン用のカウンター２４の天板として組み込んだ場合、従来例のように天然木材のみで構成した場合に比べ、目割れや反り返りがなくなり、しかも高圧メラミン化粧板２１の表面硬度が非常に高くて傷付きにくく、また、耐汚染性、耐磨耗性、耐熱性、耐水性にも優れ、極めて耐久性に富む化粧天板１１として活用することができる。
【００４４】
また、前記化粧天板１１の端辺部に位置する化粧木口面部１３ｃには前記高圧メラミン化粧板２１を貼着せず、芯材１２自体の塗装仕上げをした化粧木口面部１３ｃ、１４ｃを外部に表出させているので、外観上木質の暖かさ、柔らかさを有し、かつ、高級感を醸し出させることができる。
【００４５】
このように、本実施例２によれば、全体として耐久性に富み、外観上木質の暖かさ、柔らかさを有し、しかも、高級感をも有し、見栄えが良好な例えば平面Ｌ形形状を呈する化粧天板１１を実現し提供することができる。
【００４６】
図１０、図１１は、本実施例２に係る化粧天板１１の変形例である化粧天板１１Ａを示すものである。なお、図１１は化粧天板１１Ａを裏面側から見た図である。
【００４７】
この化粧天板１１Ａは、実施例２に係る化粧天板１１の構成に加えて、前記芯材１２の裏面にも上述した場合と同様な第３高圧メラミン化粧板２２ａ、第４高圧メラミン化粧板２３ａを接着剤４を用いて貼着したものである。
【００４８】
すなわち、第１芯材１３の裏面に前記第１高圧メラミン化粧板２２と同様な形状で、かつ、小寸法の第３高圧メラミン化粧板２２ａを接着剤４を用いて貼着し、第２芯材１４の裏面に前記第２高圧メラミン化粧板２３と同様な形状で、かつ、小寸法の第４高圧メラミン化粧板２３ａを接着剤４を用いて貼着している。
【００４９】
この変形例の化粧天板１１Ａによれば、前記化粧天板１１の作用、効果を発揮することに加え、芯材１２の裏面にも高圧メラミン化粧板２１を貼着しているので、通常では外観視されない裏面側においても優れた耐久性を発揮させることができる。
【００５０】
上述した各化粧天板１、１Ａ、１１、１１Ａの各サイズは、特に限定されるものでなく、大、中、小各サイズを適宜に選定して設計、製作し得ることはいうまでもない。
【００５１】
また、上述したような長方形状を呈する化粧天板１、１Ａ、略Ｌ形形状を呈する化粧天板１１、１１Ａの他に、例えば円弧状、コの字状等種々の平面形態をとる化粧天板を設計、製作し得ることもいうまでもない。
【産業上の利用可能性】
【００５２】
本考案の化粧天板は、既述したダイニングキッチンのカウンター、ニッチ棚、テーブルトップ、業務用カウンター等々の天板の他、オフィス、出窓カウンター、ホテル等のカウンター用天板等として広範に応用可能である。
【符号の説明】
【００５３】
１    化粧天板
１Ａ  化粧天板
２    芯材
２ａ  化粧木口面部
３    高圧メラミン化粧板
４    接着剤
５    カウンター
６    カウンター基台
１１    化粧天板
１１Ａ  化粧天板
１２    芯材
１３    第１芯材
１３ａ  凹陥部
１３ｂ  横穴
１３ｃ  化粧木口面部
１３ｄ  円弧部
１４    第２芯材
１４ａ  凹陥部
１４ｂ  横穴
１４ｃ  化粧木口面部
１５    ネジ棒
１６    ワッシャー
１７    ナット
２１    高圧メラミン化粧板
２２    第１高圧メラミン化粧板
２２ａ  第３高圧メラミン化粧板
２２ｂ  円弧部
２３    第２高圧メラミン化粧板
２３ａ  第４高圧メラミン化粧板
２４    カウンター
２５    カウンター基台
【図１】
0003155866.tif 000003
【図２】
0003155866.tif 000004
【図３】
0003155866.tif 000005
【図４】
0003155866.tif 000006
【図５】
0003155866.tif 000007
【図６】
0003155866.tif 000008
【図７】
0003155866.tif 000009
【図８】
0003155866.tif 000010
【図９】
0003155866.tif 000011
【図１０】
0003155866.tif 000012
【図１１】
0003155866.tif 000013